(57)【要約】      （修正有）【課題】長繊維と短繊維の複合紡績糸の縦編生地を提供する。【解決手段】複合紡績糸１を縦編機で編まれた縦編生地層２を含み、該縦編生地層２は縦編生地層又は３Ｄ立体縦編生地層で、複合紡績糸１は可溶性長繊維と短繊維で構成された撚糸、コアヤーン又はシロフィル（ｓｉｒｏｆｉｌ）カバードヤーンで、可溶性長繊維は水溶性ＰＶＡ長繊維又は可溶性ポリエステル長繊維である。或いは、複合紡績糸１は低融点長繊維と短繊維で構成された撚糸、コアヤーン又はシロフィル（ｓｉｒｏｆｉｌ）カバードヤーンで、可溶性長繊維は水溶性ＰＶＡ長繊維又は可溶性ポリエステル長繊維である。【選択図】図１
0003208476.tif 000002
【実用新案登録請求の範囲】
【請求項１】
長繊維と短繊維の複合紡績糸の縦編生地であって、その特徴は以下のとおりである：複合紡績糸（１）を縦編機で編まれた縦編生地層（２）を含み、該縦編生地層（２）は縦編生地層又は３Ｄ立体縦編生地層で、複合紡績糸（１）は可溶性長繊維（１１）と短繊維（１２）で構成された撚糸、コアヤーン又はシロフィル（ｓｉｒｏｆｉｌ）カバードヤーンで、可溶性長繊維（１１）は水溶性ＰＶＡ長繊維又は可溶性ポリエステル長繊維である；
或いは、複合紡績糸（１）は低融点長繊維と短繊維（１２）で構成された撚糸、コアヤーン又はシロフィル（ｓｉｒｏｆｉｌ）カバードヤーンで、可溶性長繊維（１１）は水溶性ＰＶＡ長繊維又は可溶性ポリエステル長繊維である。
【請求項２】
請求項１に記載の長繊維と短繊維の複合紡績糸の縦編生地であって、その特徴は以下のとおりである：前記短繊維（１２）は天然短繊維（１２）又は化学短繊維（１２）である。
【請求項３】
請求項１に記載の長繊維と短繊維の複合紡績糸の縦編生地であって、その特徴は以下のとおりである：前記低融点長繊維は低融点ポリウレタンである。
【考案の詳細な説明】
【技術分野】
【０００１】
本実用新案は縦編生地の技術分野に関し、特に長繊維と短繊維の複合紡績糸の縦編生地に関する。
【背景技術】
【０００２】
縦編製品は一組又は複数組の縦糸を縦編機で同時にループを編み、互いに絡むことで形成される織物である。この織物において、一組の縦糸の各糸は一つの糸ループの横列に一つ又は二つの糸ループしか形成されず、続いて次の横列に再び糸ループを形成する；一本の糸で形成された糸ループは織物の縦方向に沿って設けられる。
【０００３】
そのうち、縦編生地は織物生地、横編生地と大きな区別がある；縦編が糸ループ構造になるため、ニット製品に属し、柔らかで、延伸性が高く、弾力性があるという特徴を有するが、糸が同一横方向でループになるため、横方向の延伸性と縦方向の延伸性に大きな差があり、異方性が明らかで、横方向の寸法安定性が低い；織物生地の縦糸と横糸が絡むため、生地寸法の安定性も、強度も高いが、柔らかくなく、延伸性が低く、皺が生じやすい。一方縦編の場合は糸が異なる横方向の糸ループでループ形成されることにより、生地の寸法安定性がよくなり、同時に柔らかで、弾力性が高く、抗皺的になる。縦編は織物と横編製品の中間製品である。
【０００４】
縦編は高速ループ形成編み機で生産されるので、糸の強度、糸むら、毛羽が高く要求される。現在、縦編機の生産原料は、全て合成長繊維を採用し、それで編み機の要求を満足できる。
しかしファッション、及び快適性への要求が高くになるにつれ、市場で縦編製品の短繊維糸のニーズが、高くなっている；理由として短繊維、天然繊維の綿、麻、毛及び短繊維化学繊維等は、手触り及び快適性がよいためである。一部が短繊維になる手触り要件もあり、全てが短繊維になる手触り要件もある；同時に、一定厚さのある３Ｄ立体縦編生地についても、短繊維応用のトレンドが見られる。
【考案の概要】
【考案が解決しようとする課題】
【０００５】
本実用新案の目的は長繊維と短繊維の複合紡績糸の縦編生地を提供することであって、該長繊維と短繊維の複合紡績糸の縦編生地は安定性が高く、柔らかで、弾力性がよく、防皺性が高く且つ手触り及び快適性がよく、さらに可溶性長繊維を入れることで一部又は全部が１００％短繊維糸の平面縦編生地又は３Ｄ立体縦編生地を形成することもでき、低融点長繊維を入れることでどんな切断も可能で且つ縁曲げ変化のない平面縦編生地又は３Ｄ立体縦編生地を形成することもできる。
【課題を解決するための手段】
【０００６】
上記目的を達成するために、本実用新案は以下の技術的解決手段により実現する。
長繊維と短繊維の複合紡績糸の縦編生地であって、複合紡績糸を縦編機で編まれた縦編生地層を含み、該縦編生地層は縦編生地層又は３Ｄ立体縦編生地層で、複合紡績糸は可溶性長繊維と短繊維で構成された撚糸、コアヤーン又はシロフィル（ｓｉｒｏｆｉｌ）カバードヤーンで、可溶性長繊維は水溶性ＰＶＡ長繊維又は可溶性ポリエステル長繊維である；
或いは、複合紡績糸は低融点長繊維と短繊維で構成された撚糸、コアヤーン又はシロフィル（ｓｉｒｏｆｉｌ）カバードヤーンであって、可溶性長繊維は水溶性ＰＶＡ長繊維又は可溶性ポリエステル長繊維である。
そのうち、前記短繊維は天然短繊維又は化学短繊維である。
そのうち、前記低融点長繊維は低融点ポリウレタンである。
【考案の効果】
【０００７】
本実用新案の有益な効果は以下のとおりである：本実用新案の前記長繊維と短繊維の複合紡績糸の縦編生地であって、それは複合紡績糸を編み機で編まれた縦編生地層を含み、該縦編生地層は縦編生地層又は３Ｄ立体縦編生地層で、複合紡績糸は可溶性長繊維と短繊維で構成された撚糸、コアヤーン又はシロフィル（ｓｉｒｏｆｉｌ）カバードヤーンで、可溶性長繊維は水溶性ＰＶＡ長繊維又は可溶性ポリエステル長繊維である；或いは、複合紡績糸は低融点長繊維と短繊維で構成された撚糸、コアヤーン又はシロフィル（ｓｉｒｏｆｉｌ）カバードヤーンで、可溶性長繊維は水溶性ＰＶＡ長繊維又は可溶性ポリエステル長繊維である。本実用新案は寸法安定性が高く、柔らかで、弾力性がよく、防皺性が高く且つ手触り及び快適性がよいというメリットがあり、さらに可溶性長繊維を入れることで一部又は全部が１００％短繊維糸の平面縦編生地又は３Ｄ立体縦編生地を形成することもでき、低融点長繊維を入れることでどんな切断も可能で且つ縁曲げ変化のない平面縦編生地又は３Ｄ立体縦編生地を形成することもできる。
以下に付図を合わせて本実用新案について説明を行うが、付図における実施例は本実用新案への制限が一切ない。
【図面の簡単な説明】
【０００８】
【図１】本実用新案の構造イメージ図である。
【図２】本実用新案の複合紡績糸の構造イメージ図である。
【符号の説明】
【０００９】
図１と図２は以下を含む：
１  :複合紡績糸
１１:長繊維
１２:短繊維        
２  :縦編生地層。
【考案を実施するための形態】
【００１０】
図１と図２で示しているように、長繊維と短繊維の複合紡績糸の縦編生地であって、複合紡績糸１を編み機で編まれた縦編生地層２を含み、該縦編生地層２は縦編生地層又は３Ｄ立体縦編生地層で、複合紡績糸１は可溶性長繊維１１と短繊維１２で構成された撚糸、コアヤーン又はシロフィル（ｓｉｒｏｆｉｌ）カバードヤーンで、可溶性長繊維１１は水溶性ＰＶＡ長繊維又は可溶性ポリエステル長繊維である；
或いは、複合紡績糸１は低融点長繊維と短繊維１２で構成された撚糸、コアヤーン又はシロフィル（ｓｉｒｏｆｉｌ）カバードヤーンで、可溶性長繊維１１は水溶性ＰＶＡ長繊維又は可溶性ポリエステル長繊維である。
そのうち、短繊維１２は天然短繊維１２又は化学短繊維１２である。
そのうち、低融点長繊維は低融点ポリウレタンである。
【００１１】
さらに説明が必要なのは、可溶性長繊維１１と短繊維１２で構成された複合紡績糸１で編まれた縦編生地は、以下の製造方法で得ることができ、具体的には以下のとおりである：
１、化学長繊維１１、短繊維１２を選定して化学長繊維１１と短繊維１２を複合紡績糸１に複合成型し、複合紡績糸１は化学長繊維１１と短繊維１２との撚糸又は化と学長繊維１１と短繊維１２のコアヤーン又は化学長繊維１１と短繊維１２を精紡機で直接に成型したシロフィル（ｓｉｒｏｆｉｌ）カバードヤーンである；
２、複合紡績糸１を整経機にフィードして整経処理を行う；
３、整経処理された複合紡績糸１を縦編機にフィードして縦編加工を行って縦編の布生地を生産し、縦編の布生地は平面縦編の布生地又は３Ｄ立体縦編の布生地である；
４、化学長繊維１１が水溶性ＰＶＡ長繊維の縦編布生地は、縦編布生地を温水に入れて可溶性ＰＶＡ長繊維を溶解する；化学長繊維１１が可溶性ポリエステル長繊維の縦編布生地は、縦編布生地をアルカリ溶液に入れて可溶性ポリエステル長繊維を溶解する；
５、溶解された縦編布生地に対して染色仕上げの処理を行う；
６、染色仕上げの処理が行われた縦編布生地を幅出し処理し、それで縦編生地製造が完成する。
【００１２】
低融点長繊維と短繊維１２で構成された複合紡績糸１で編まれた縦編生地は、以下の製造方法で得ることができ、具体的には以下のとおりである：
１、化学長繊維１１、短繊維１２を選定して化学長繊維１１と短繊維１２を複合紡績糸１に複合成型し、複合紡績糸１は化学長繊維１１と短繊維１２との撚糸又は化と学長繊維１１と短繊維１２のコアヤーン又は化学長繊維１１と短繊維１２を精紡機で直接に成型したシロフィル（ｓｉｒｏｆｉｌ）カバードヤーンである；
２、複合紡績糸１を整経機にフィードして整経処理を行う；
３、整経処理された複合紡績糸１を縦編機にフィードして縦編加工を行って縦編の布生地を生産し、縦編の布生地は平面縦編の布生地又は３Ｄ立体縦編の布生地である；
４、縦編布生地に対して染色仕上げの処理を行う；
５、染色仕上げの処理が行われた縦編布生地を加熱して幅出し処理を行い、それで縦編生地製造が完成する。
【００１３】
さらに説明が必要なのは、本実用新案の縦編生地は、短繊維１２と化学長繊維１１の性能を効果的に結合することができ、寸法安定性が高く、柔らかで、弾力性がよく、防皺性が高く且つ手触り及び快適性がよいというメリットがあり、さらに可溶性長繊維１１を入れることで一部又は全部が１００％短繊維１２の平面縦編生地又は３Ｄ立体縦編生地を形成することもでき、低融点長繊維を入れることでどんな切断も可能で且つ縁曲げ変化のない平面縦編生地又は３Ｄ立体縦編生地を形成することもできる。
【００１４】
上記の内容は単なる本実用新案のよりよい実施例であって、本分野の普通の技術者が、本実用新案の考え方に従って、具体的な実施方式及び応用範囲において変更するというケースも考えられ、本説明内容は本実用新案を制限するものだと捉えてはいけない。
【図１】
0003208476.tif 000003
【図２】
0003208476.tif 000004